(57)【要約】【課題】充電対象物を立てかけた状態で配置可能なワイヤレス充電器であって、ワイヤレス充電器に対する充電対象物の相対位置を異ならせても充電を適切に行うことができる充電器を提供する。【解決手段】土台と、前記土台の上に配置され、且つ、受電コイルに対して非接触での充電が可能な送電コイルを含む給電部と、水平面に対して傾斜した状態又は垂直な状態で前記土台の上に配置され、且つ、受電コイルを含む充電対象物の前面或いは背面を支持する支持面と、を備え、前記給電部は、前記支持面の面方向に沿って移動可能である。【選択図】図１
2020061905.tif 000002
【特許請求の範囲】
【請求項１】
土台と、
前記土台の上に配置され、且つ、受電コイルに対して非接触での充電が可能な送電コイルを含む給電部と、
水平面に対して傾斜した状態又は垂直な状態で前記土台の上に配置され、且つ、受電コイルを含む充電対象物の前面或いは背面を支持する支持面と、
を備え、
前記給電部は、前記支持面の面方向に沿って移動可能である、ワイヤレス充電器。
【請求項２】
前記給電部は、上下方向に移動可能である、請求項１に記載のワイヤレス充電器。
【請求項３】
前記送電コイルに流れる電流値或いは電圧値が所定値よりも大きいとき、前記受電コイルに対する充電が行われていると判定する制御部と、
前記制御部に接続され、且つ、外部に対して報知可能な報知部と、
を備え、
前記制御部は、前記受電コイルに対する充電が行われていると判定すると、前記報知部に報知を行わせる、請求項１又は請求項２に記載のワイヤレス充電器。
【請求項４】
前記送電コイルは、一つ乃至二つのコイルを含む、請求項１〜請求項３のいずれか１項に記載のワイヤレス充電器。
【発明の詳細な説明】
【技術分野】
【０００１】
本発明は、スマートフォン等の機器の充電が可能なワイヤレス充電器であって、機器を立てかけた状態で配置可能なスタンド型のワイヤレス充電器に関する。
【背景技術】
【０００２】
従来、スマートフォン等の充電対象物をワイヤレス充電可能なワイヤレス充電器として、充電対象物を立てかけた状態で配置可能な充電器が公知である（特許文献１）。例えば、無接点充電器は、略板状のスタンドと、スタンドの上にこの上面と傾斜した姿勢で配置され且つ送電コイルを含む外装ケースと、を有する。この無接点充電器は、受電コイルを含む電池駆動機器を充電可能である。具体的に、無接点充電器では、電池駆動装置が外装ケースの載置面の定位置、即ち、電池駆動機器の長手方向を水平方向に揃え且つ電池駆動機器の水平方向における中央部分を外装ケースの水平方向における中央部分に重なる位置に電池駆動機器が配置されると、電池駆動機器のこの中央部分に配置された受電コイルと外装ケースのこの中央部分に配置された送電コイルとが重なる。これにより、受電コイルと送電コイルとが電磁結合されて、無接点充電器が電池駆動機器の充電を行うことができる。
【先行技術文献】
【特許文献】
【０００３】
【特許文献１】特開２０１４−８７１３６号公報
【発明の概要】
【発明が解決しようとする課題】
【０００４】
しかしながら、上記無接点充電器では、様々なサイズの電池駆動機器が配置されたり、電池駆動機器の長手方向を水平方向と異なる方向、例えば、上下方向に揃えた位置で配置されたりすることで、無接点充電器に対する電池駆動機器の相対位置を異ならせると、受電コイルと送電コイルとが重ならず、充電や給電が適切に行えないおそれがあった。
【０００５】
本発明は、充電対象物を立てかけた状態で配置可能なワイヤレス充電器であって、ワイヤレス充電器に対する充電対象物の相対位置を異ならせても充電を適切に行うことができるワイヤレス充電器を提供することを目的とする。
【課題を解決するための手段】
【０００６】
本発明のワイヤレス充電器は、土台と、前記土台の上に配置され、且つ、受電コイルに対して非接触での充電が可能な送電コイルを含む給電部と、水平面に対して傾斜した状態又は垂直な状態で前記土台の上に配置され、且つ、受電コイルを含む充電対象物の前面或いは背面を支持する支持面と、を備え、前記給電部は、前記支持面の面方向に沿って移動可能である。
【０００７】
かかる構成によれば、水平面に対して傾斜した又は垂直な支持面に受電対象物を立てかけることができるため、充電対象物をワイヤレス充電器に立てかけた状態で配置可能である。また、ワイヤレス充電器に対する充電対象物の相対位置が異なることで、充電対象物の受電コイルと給電部の送電コイルとがずれても、給電部を支持面の面方向に沿って移動させることで、充電対象物の受電コイルと給電部の送電コイルとを重ねることができるため、充電を適切に行うことができる。
【０００８】
前記ワイヤレス充電器では、前記給電部は、上下方向に移動可能であってもよい。
【０００９】
かかる構成によれば、例えば、充電対象物の長手方向が水平方向或いは水平方向に直交する方向に揃うように充電対象物の姿勢を異ならせて配置する、即ち、充電対象物を横置きと縦置きとで姿勢を異ならせて配置することで、送電コイルに対する受電コイルの相対位置が上下方向にずれたとしても、給電部を上下方向において移動させることで、受電コイルと送電コイルとを容易に重ねることができる。
【００１０】
前記ワイヤレス充電器では、前記送電コイルに流れる電流値或いは電圧値が所定値よりも大きいとき、前記受電コイルに対する給電或いは充電が行われていると判定する制御部と、前記制御部に接続され、且つ、外部に対して報知可能な報知部と、を備え、前記制御部は、前記受電コイルに対する給電或いは充電が行われていると判定すると、前記報知部に報知を行わせてもよい。
【００１１】
かかる構成によれば、充電や給電が行われている旨の報知に応じて、給電部を移動させることで、給電部の位置合わせを容易に行うことができる。
【００１２】
前記ワイヤレス充電器では、前記送電コイルは、一つ乃至二つのコイルを含んでもよい。
【００１３】
かかる構成によれば、送電コイルの数が一つや二つといった少ない数でも、充電対象物に対する適切な充電を実現できる。
【発明の効果】
【００１４】
以上より、本発明によれば、充電対象物を立てかけた状態で配置可能なワイヤレス充電器であって、ワイヤレス充電器に対する充電対象物の相対位置を異ならせても充電を適切に行うことができるワイヤレス充電器を提供することができる。
【図面の簡単な説明】
【００１５】
【図１】図１は、本実施形態に係るワイヤレス充電器の斜視図である。
【図２】図２は、前記充電器の分解斜視図である。
【図３】図３は、前記充電器の正面図である。
【図４】図４は、前記充電器の背面図であって、給電部が上端に位置する状態を説明するための図である。
【図５】図５は、前記充電器の背面図であって、給電部が下端に位置する状態を説明するための図である。
【図６】図６は、図３のＶI−ＶI位置における断面図である。
【図７】図７は、充電対象物が縦置きの姿勢で配置された状態の前記充電器の斜視図である。
【図８】図８は、充電対象物が横置きの姿勢で配置された状態の前記充電器の斜視図である。
【図９】図９は、前記充電器の平面図である。
【図１０】図１０は、前記充電器の底面図である。
【図１１】図１１は、前記充電器の右側面図である。
【図１２】図１２は、別の実施形態に係るワイヤレス充電器の斜視図である。
【図１３】図１３は、前記充電器の背面図であって、給電部が上端に位置する状態を説明するための図である。
【図１４】図１４は、図１３のＸＶI−ＸＶI位置における断面図である。
【図１５】図１５は、前記充電器の支持部材を取り外した状態を前方から視た斜視図である。
【図１６】図１６は、前記充電器の支持部材を取り外した状態を後方から視た斜視図である。
【図１７】図１７は、前記充電器の正面図である。
【図１８】図１８は、前記充電器の平面図である。
【図１９】図１９は、前記充電器の底面図である。
【図２０】図２０は、前記充電器の右側面図である。
【発明を実施するための形態】
【００１６】
以下、本発明の実施形態について、図１〜図１１を参照しつつ説明する。ワイヤレス充電器は、例えば、スマートフォン、タブレット端末等の充電対象物に対して非接触な状態において、無線によりこの充電対象物を充電可能な充電器である。
【００１７】
図１、図１０、及び図１１に示すように、ワイヤレス充電器１（以下、単に「充電器１」とも称する）は、土台２と、土台２の上（図１における上側）に配置され、且つ、送電コイル３０を含む給電部３と、土台２の上に配置され、且つ、充電対象物の前面或いは背面を支持する支持面４０と、を備える。本実施形態の充電器１は、充電が行われていることを判定する制御部６と、制御部６に接続され、且つ、外部に対して報知可能な報知部７と、を備える（図２参照）。また、本実施形態の充電器１は、土台２の上に配置された接続部材８、及び、接続部材８と給電部３とを固定する固定部材９等を備える。
【００１８】
尚、本実施形態の充電器１では、給電部３及び支持面４０は、一体的に移動可能な移動体５を構成している。また、支持面４０は、板状の支持部材４の表面である。
【００１９】
本実施形態の充電器１は、図７、図８に示すように、充電対象物であるスマートフォン１０を支持面４０に載置することで、スマートフォン１０に内蔵され且つ受電コイル１０１を含む電池パック１００を充電する。具体的に、充電器１では、支持面４０は、矩形板状のスマートフォン１０の背面を、スマートフォン１０の長手方向が上下方向に沿った状態で（縦置きの姿勢で）支持可能であると共に（図７参照）、スマートフォン１０の短手方向が上下方向に沿った状態で（横置きの姿勢で）支持可能である（図８参照）。尚、本実施形態の充電器１により充電中のスマートフォン１０は、操作可能であってもよい。例えば、充電器１は、スマートフォン１０で動画を閲覧しながら、このスマートフォン１０を充電（給電）可能であってもよい。
【００２０】
土台２は、例えば、六面体形状を有する箱体である。また、本実施形態の土台２は、土台本体部２０と、土台本体部２０に対して着脱可能な土台着脱部２１と、を有する。さらに、本実施形態の土台２は、例えば、載置面に載置されたり、テーブル、棚、壁等に埋め込まれたりすることで、載置面やテーブルや棚等に固定される。具体的に、土台２は、図６に示すように、水平面Ｓに載置される。
【００２１】
土台２の上面２２は、平坦な面である。本実施形態の上面２２は、土台２が水平面Ｓに載置された状態において、支持面４０の向く方向（以下、前方とも称する、図６における左方向）の部位と比べて支持面４０の向く方向と反対側の方向（以下、後方とも称する、図６における右方向）に位置する部位ほど低くなるように傾斜した傾斜面、即ち、前方から後方に向けて下側に傾斜する傾斜面である。尚、本実施形態の土台２では、スマートフォン１０が支持面４０に載置された状態において、上面２２にはスマートフォン１０の下端部１１が載置される（図７、図８参照）。
【００２２】
土台本体部２０は、下端側が開口した略箱体の枠体２０５と、枠体２０５の上に重ねられたカバー２０６と、を有する（図６参照）。また、土台本体部２０は、枠体２０５の外周縁の下端に接続される底板２０７と、底板２０７に載置され且つ枠体２０５の外周縁よりも内側に位置する中央領域の下端に接続される台座２０８と、底板２０７の下面と接続される滑り止め２０９と、を有する。カバー２０６の上面は、土台本体部２０の上面２００を構成する。底板２０７は、底板２０７の面方向における中央に位置する矩形状の中央領域が、中央領域を囲む周辺領域よりも下側に突出した形状を有する。滑り止め２０９は、図１０に示すように、底板２０７における突出した中央領域を囲む環形状を有する。滑り止め２０９の材質は、例えば、ゴムやシリコンである。
【００２３】
土台本体部２０の上面２００には、スマートフォン１０が縦置きの姿勢で支持面４０に載置された状態において、スマートフォン１０の下端部１１の短手側の側面が載置される（図７参照）。また、上面２００には、スマートフォン１０が横置きの姿勢で支持面４０に載置された状態において、スマートフォン１０の下端部１１の長手側の側面のうち後方に位置する一部が載置される（図８参照）。さらに、上面２００には、下側に凹んだ凹部２０３が設けられている（図２参照）。
【００２４】
凹部２０３は、前方の端部に設けられている。また、凹部２０３は、底面２０１と、底面２０１の後方側の端縁から上方に延びる側面２０２とを含む。本実施形態の側面２０２は、支持面４０と面一である。この側面２０２には、後方に凹んだ係止凹部２０４が設けられている。本実施形態の土台本体部２０では、係止凹部２０４は、側面２０２の幅方向における両端に一対設けられている。
【００２５】
土台着脱部２１は、例えば、略六面体形状を有するブロックである。また、土台着脱部２１は、土台本体部２０に取り付けられた状態において、凹部２０３に載置される。さらに、土台着脱部２１の上面２１０は、この取り付けられた状態において、土台本体部２０の上面２００と面一である。土台着脱部２１は、この取り付けられた状態において、土台本体部２０の側面２０２と重なる側面２１１を有する。側面２１１には、後方に突出した係止凸部２１２が設けられている。本実施形態の土台着脱部２１では、係止凸部２１２は、側面２１１の幅方向における両端に一対設けられている。係止凸部２１２の寸法及び形状は、係止凹部２０４に嵌合可能な寸法及び形状である。また、一対の係止凸部２１２の間の距離は、一対の係止凹部２０４の間の距離と略一致している。そのため、一対の係止凸部２１２は、一対の係止凹部２０４に係止可能である。一対の係止凸部２１２が一対の係止凹部２０４に係止することで、土台着脱部２１は土台本体部２０に取り付けられる。
【００２６】
接続部材８は、例えば、それぞれ同じ方向、例えば、上下方向に延びる一対のガイド部位８０を有する。また、接続部材８は、一対のガイド部位８０の延伸方向における一方側の端部、例えば、上端同士を接続する上端接続部位８１と、一対のガイド部位８０の延伸方向における他方側の端部、例えば、下端同士を接続する下端接続部位８２と、を有する。本実施形態の接続部材８は、一対のガイド部位８０の外周縁、上端接続部位８１の外周縁、及び、下端接続部位８２の外周縁から後方に連続して延びる後方延設部位８３を有する。また、本実施形態の接続部材８は、下端接続部位８２の下端からさらに下方に延びる下方延設部位８４を有する（図６参照）。接続部材８を構成する各部位は、いずれも、板状である。本実施形態の接続部材８の材質は、例えば、樹脂である。
【００２７】
一対のガイド部位８０は、土台２の上面２２に対して略垂直な状態で、上下方向に延びている。一対のガイド部位８０の内周面８００は、例えば、凹凸領域を有する（図２参照）。本実施形態の内周面８００の略全体は、凹凸領域となっている。下方延設部位８４は、土台本体部２０のカバー２０６及び枠体２０５に差し込まれた状態で、枠体２０５に固定されている（図６参照）。
【００２８】
固定部材９は、支持面４０の面方向において給電部３を移動可能であると共に、この給電部３の土台２に対する相対位置を固定可能である。本実施形態の固定部材は、給電部３の上下方向における位置を移動可能であると共に、給電部３の上下方向における位置を固定可能である。固定部材９は、給電部３と接続される接続部９１を有する。また、固定部材９は、接続部９１と接続される板状部９０と、板状部９０から後方に延びる摘み部９２と、を有する。本実施形態の固定部材９は、略円筒形状を有する（図２参照）。また、本実施形態の固定部材の材質は、例えば、樹脂である。
【００２９】
板状部９０は、円環板状である。板状部９０の外径は、図４及び図５に示すように、一対のガイド部位８０間の距離よりも大きい。
【００３０】
摘み部９２は、固定部材９の筒軸を挟んで一対設けられている。摘み部９２は、後方から視ると、矩形状を有する。摘み部９２を摘まんだ状態で、固定部材９の周方向において摘み部９２に力を加えることで、固定部材９が周方向に回動する。
【００３１】
接続部９１は、板状部９０から前方に延びている。接続部９１は、板状部９０の外径よりも内側において板状部９０から前方に延びる大径筒部９１０と、大径筒部９１０の内側において板状部９０から前方に延びる小径筒部９１１と、を含む。大径筒部９１０は、筒軸から離れる方向に突出する凸部９１２を含む。また、大径筒部９１０は、筒軸から離れる方向に突出すると共に前方に延びる爪部９１３を含む。大径筒部９１０の外径は、一対のガイド部位８０間の水平方向における距離と略一致する。
【００３２】
凸部９１２は、前後方向において大径筒部９１０の摘み部９２と重なる位置から筒軸から離れる方向に突出するように、一対設けられている。また、凸部９１２は、一対の摘み部９２が水平方向に沿って延びる姿勢において、一対のガイド部位８０の内周面８００の凹部と係止可能である。これにより、凸部９１２が一対のガイド部位８０の内周面８００の凹部と係止することにより、固定部材９が一対のガイド部位８０により狭持可能である。
【００３３】
爪部９１３は、大径筒部９１０の周方向における一対の凸部９１２の中央位置に一つずつ一対配置されている。爪部９１３の前方における端縁は、小径筒部９１１の前方における端縁よりも前方に位置している。尚、小径筒部９１１は、大径筒部９１０における爪部９１３を除く部位よりも前方まで延びている。即ち、小径筒部９１１の前方における端縁は、大径筒部９１０の爪部９１３を除く部位における前方における端縁よりも前方に位置している。
【００３４】
報知部７は、制御部６に接続されている。具体的に、報知部７は、ＬＥＤ及びレンズ等を含む。本実施形態の報知部７は、図３に示すように、ケース３３の上端縁における中央位置に配置されている。
【００３５】
この報知部７は、例えば、光や音により外部に対する報知を行う。本実施形態の報知部７は、光によりこの報知を行う。また、本実施形態の報知部７は、充電が行われているとき、及び、充電が行われていないときのうち少なくとも一方のときに報知を行う。具体的に、報知部７は、充電が行われているとき、及び、充電が行われていないときの両方のときにそれぞれ報知を行う。より具体的に、報知部７は、支持面４０に何らかの物体が載置された状態において、充電が行われているときには青色光を出射し、充電が行われていないときには赤色光を出射する。
【００３６】
制御部６は、例えば、中央に貫通孔が設けられた略矩形板状である。また、制御部６は、例えば、回路基板である。制御部６には、外部電源と電気的に接続されたケーブルを差し込み可能なコネクタ６０が設けられている（図４、図５参照）。さらに、制御部６は、送電コイル３０に接続されている。
【００３７】
制御部６は、送電コイル３０に流れる電流値或いは電圧値を検知可能であり、送電コイル３０に流れる電流値或いは電圧値が所定値よりも大きいとき、受電コイル１０１に対する充電が行われていると判定する。また、制御部６は、この充電が行われていると判定すると、報知部７にその旨の報知を行わせる。本実施形態の制御部６は、支持面４０に何らかの物体が載置されているか否かも検知可能である。また、本実施形態の制御部６は、支持面４０に何らかの物体が載置された状態において充電が行われていないと判定すると、報知部７にその旨の報知を行わせる。
【００３８】
支持部材４は、略正方板状である（図３参照）。支持部材４の材質は、例えば、樹脂である。また、支持部材４は、両面テープによりケース蓋部３３０に固定されている。以上の構成により、支持部材４は、接続部材８や給電部３を介して土台２の上に配置される。
【００３９】
支持面４０は、水平面Ｓに対して傾斜している、又は、垂直である。本実施形態の支持面４０は、水平面に対して傾斜している（図６参照）。また、支持面４０は、土台２の上面２２に対して略垂直である。即ち、支持面４０を含む面と土台２の上面２２とのなす角が、略直角である。尚、支持面４０は、受電コイル１０１の巻回軸が支持面４０の法線方向に延びる姿勢でスマートフォン１０を支持する。
【００４０】
給電部３は、略直方体形状を有する。給電部３は、一つの送電コイル３０に加えて、送電コイル３０を収納するケース３３を有する。ケース３３は、略直方体形状を有する。ケース３３には、それぞれケース３３の厚み方向に貫通し且つケース３３内の空気を流通させる複数の通風孔３５が設けられている。ケース３３は、略正方板状のケース底部３３１と、ケース底部３３１の外縁に取り付けられるケース蓋部３３０と、を含む。ケース蓋部３３０とケース底部３３１とにより、ケース３３内に空間が構成される。このケース３３内の空間には、送電コイル３０が配置される。
【００４１】
本実施形態の送電コイル３０のサイズは、受電コイル１０１のサイズと略同一である。具体的に、本実施形態の送電コイル３０の半径は、例えば、受電コイル１０１の半径と略同一である。尚、送電コイル３０の半径は、受電コイル１０１の半径よりも小さくてもよいし大きくてもよい。送電コイル３０の巻回軸は、支持面４０の法線方向に延びている。即ち、送電コイル３０の巻回軸は、支持面４０に対して垂直に延びている。送電コイル３０は、外部電源と有線接続可能である。また、送電コイル３０は、板部３１を介して制御部６に重ねられる。具体的に、送電コイル３０は、外部電源と電気的に接続されたケーブルに制御部６を介して接続される。また、送電コイル３０は、この送電コイル３０が外部電源と接続され、且つ、スマートフォン１０の受電コイル１０１が所定距離以内の間隔をあけた状態で重ねられたとき、受電コイル１０１との間に電磁誘導が生じる。これにより、送電コイル３０は、受電コイル１０１に対して非接触でワイヤレス充電が可能である。
【００４２】
ケース蓋部３３０は、略矩形状のケース蓋板３３００と、ケース蓋板３３００の外縁から後方に延びるケース側部３３０１と、を含む（図２参照）。ケース側部３３０１の内側には、ケース側部３３０１の厚み方向にそれぞれ貫通した通風孔３３０２が複数設けられている。通風孔３３０２は、ケース３３の通風孔３５を構成している。
【００４３】
ケース底部３３１は、略矩形板状のケース底板３３１０と、ケース底板３３１０の外周部からそれぞれ前方に延びる複数のケース延出部３３１１と、を含む。ケース底板３３１０には、ケース底板３３１０の厚み方向に貫通する通風孔３３１２と、ケース底板３３１０の厚み方向に貫通し且つ外部電源と送電コイル３０等とを電気的に接続するケーブルを挿通可能な挿通孔３３１３が設けられている。また、ケース底板３３１０には、ケース底板３３１０の後方の面が前方に凹み且つ周方向に連続したケース凹部３３１４と、ケース凹部３３１４の周りに設けられた貫通孔３３１５と、が設けられている。
【００４４】
ケース延出部３３１１がケース側部３３０１の内側に嵌合することで、ケース底部３３１はケース蓋部３３０に取り付けられる。ケース延出部３３１１の後方側の端部は、ケース側部３３０１から露出している。隣り合うケース延出部３３１１の後方側の端部の間には、隙間が設けられている。この隙間は、ケース３３の通風孔を構成している。通風孔３３１２も、ケース３３の通風孔３５を構成している。挿通孔３３１３からは、後方にコネクタ６０が露出している（図４、図５参照）。ケース凹部３３１４は、固定部材９の小径筒部９１１と対応した寸法及び形状を有し、小径筒部９１１と係止可能である（図２参照）。貫通孔３３１５は、固定部材９の爪部９１３と対応した寸法及び形状を有し、爪部９１３が差し込み可能である。ケース凹部３３１４に小径筒部９１１が係止され、且つ、貫通孔３３１５に爪部９１３が差し込まれることにより、給電部３に固定部材９が接続される。
【００４５】
以上の構成により、給電部３は、支持面４０の面方向に沿って移動可能である。具体的に、固定部材９が一対のガイド部位８０に狭持された状態では、固定部材９の上下方向における位置が固定されているため、移動体５の上下方向における位置も固定されている。この状態から、摘み部９２を水平方向と異なる方向に延びる位置まで周方向において回動させると、凸部９１２と内周面８００の凹部との係止が外れて、固定部材９が上下方向において移動可能になるため、移動体５の上下方向における移動も可能となる。移動体５の上下方向における位置を所望の位置とした状態で、摘み部９２を水平方向に沿った位置とすることで、移動体５の上下方向における位置を固定することができる。
【００４６】
本実施形態の充電器１では、給電部３は、支持部材４と一体とした状態で（移動体５として）、固定部材９に固定されると共に、支持面４０の面方向において移動可能である（図３参照）。移動体５は箱型であり、その表面が支持面４０である。移動体５では、支持面４０の裏側において（後方において）、ケース３３内に送電コイル３０が収容されている。
【００４７】
以上の充電器１によれば、水平面Ｓに対して傾斜した又は垂直な支持面４０にスマートフォン１０を立てかけることができるため、スマートフォン１０を充電器１に立てかけた状態で配置可能である。また、充電器１に対するスマートフォン１０の相対位置が異なる（例えば、スマートフォン１０が横置き或いは縦置きされたり、異なるサイズのスマートフォン１０を立てかけたりする）ことで、スマートフォン１０の受電コイル１０１と給電部３の送電コイル３０との相対位置がずれても、給電部３を支持面４０の面方向に沿って移動させることで、スマートフォン１０の受電コイル１０１と給電部３の送電コイル３０とを重ねることができるため、充電を適切に行うことができる。
【００４８】
本実施形態の充電器１によれば、例えば、スマートフォン１０を横置きと縦置きとで姿勢を異ならせて配置することで、送電コイル３０に対する受電コイル１０１の相対位置が上下方向にずれたとしても、給電部３を上下方向において移動させることで、受電コイル１０１と送電コイル３０とを容易に重ねることができる。
【００４９】
また、本実施形態の充電器１によれば、充電が行われている旨の報知に応じて、給電部３を移動させることで、給電部３の位置合わせを容易に行うことができる。しかも、本実施形態の充電器１によれば、充電が適切に行われていない旨の報知を確認した場合、充電が行われている旨の報知を確認するまで、給電部３の移動を行うことで、この位置合わせを確実に行うことができる。
【００５０】
さらに、本実施形態の充電器１によれば、送電コイル３０の数が一つであっても、スマートフォン１０に対する適切な充電を実現できる。尚、送電コイル３０の数が二つといった少ない数であっても、同様の適切な充電を実現できる。
【００５１】
また、本実施形態の充電器１によれば、移動体５の表面が支持面４０であり、移動体５の内部に送電コイル３０が収納されているため、移動体５の外観から送電コイル３０の位置を推定することができる。そのため、スマートフォン１０を充電器１に載置した状態において、スマートフォン１０に対する送電コイル３０の位置が把握しやすいことから、受電コイル１０１と送電コイル３０とを容易に重ねることができる。
【００５２】
本実施形態の充電器１によれば、土台本体部２０から土台着脱部２１を取り外した状態において、支持面４０がスマートフォン１０を支持すると、スマートフォン１０の下端部１１が凹部２０３に配置され、且つ、支持面４０と側面２０２とが面一である（同一平面内にある）ことから、スマートフォン１０の下端部１１の背面が側面２０２にも支持されるため、スマートフォン１０が後方にずれにくい。しかも、土台本体部２０に土台着脱部２１を取り付けた状態において、スマートフォン１０の短手方向を上下方向とした状態で支持面４０がスマートフォン１０を支持すると、土台着脱部２１の高さの分だけ、スマートフォン１０の受電コイル１０１の位置が高くなるため、受電コイル１０１と送電コイル３０とを重ねやすい。
【００５３】
また、本実施形態の充電器１によれば、土台２の上面２２と支持面４０を含む面とのなす角が略直角であるため、支持面４０がスマートフォン１０を載置すると、支持面４０と土台２の上面２２とはスマートフォン１０を安定的にできる。
【００５４】
さらに、本実施形態の充電器１によれば、支持面４０がスマートフォン１０を載置すると、スマートフォン１０が後方に傾斜した姿勢となるため、支持面４０がスマートフォン１０をさらに安定的に支持できる。
【００５５】
本実施形態の充電器１によれば、一対のガイド部位８０が、固定部材９の移動方向をガイドするため、支持面４０の面方向において給電部３の相対位置を安定的に移動させることができる。
【００５６】
また、本実施形態の充電器１によれば、送電コイル３０の巻回軸が支持面４０の法線方向に延びていると共に、スマートフォン１０は、受電コイル１０１の巻回軸が支持面４０の法線方向に延びる姿勢で支持面４０に支持される。これにより、給電部３が支持面４０の面方向に沿って移動することで、送電コイル３０の巻回軸方向と受電コイル１０１の巻回軸方向とを一致させた状態で、送電コイル３０と受電コイル１０１とを重ねることができるため、より適切に充電を行うことができる。
【００５７】
さらに、本実施形態の充電器１によれば、通風孔３５（例えば、通風孔３３０２、３３１２や隣り合うケース延出部３３１１の後方側の端部の隙間）によりケース３３の内方からケース３３の外方へと空気が流通するため、送電コイル３０で生じた熱が通風孔３５を介して外部に放出される。
【００５８】
尚、本発明の充電器は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００５９】
例えば、支持面４０の形状は、丸形状、三角形状、その他、多角形状であってもよい。この場合、給電部３の形状は、支持面４０の形状にあわせてもよい。具体的に、支持面４０の形状が丸形状である場合、給電部３の形状も平面視において（前後方向から視たとき）丸形状を有する箱型であってもよい。また、支持面４０の形状が長方形である場合、支持面４０の向きを異ならせることが可能であってもよく、スマートフォン１０を横置きや縦置きの姿勢にあわせて支持面４０の向きを異ならせてもよい。より具体的には、支持面４０の法線方向を軸に支持面４０を回転させて、スマートフォン１０を横置きにしたとき支持面４０の短手方向を上下方向とするよう支持面４０を配置し、スマートフォン１０を縦置きにしたとき支持面４０の長手方向を上下方向とするよう支持面４０を配置することで、支持面４０はスマートフォン１０を安定的に支持できる。
【００６０】
移動体５は給電部３のみで形成されていてもよい。この場合、支持部材４の位置は固定されていてもよく、給電部３のみが移動可能であってもよい。
【００６１】
具体的に、図１２、図１７、図１８、図２０に示すように、支持部材４が土台２に対する相対位置を固定した状態で土台２に固定されてもよい。この場合、支持部材４は、給電部３を覆うような蓋状であってもよく、例えば、図１４示すように、支持面４０に加えて、支持面４０の外縁から後方に延びる支持周部４１と、支持面４０の下端からさらに下方に延びる支持下部４２と、を有してもよい。支持周部４１には、図１５に示すように、それぞれ内側に突出する凸部４１０が設けられてもよい。また、支持面４０は、支持面４０の法線方向から視たとき（支持面４０を平面視したとき）給電部３よりも大きくてもよい。尚、底板２０７の底面は、図１９に示すように、略平面状であってもよい。
【００６２】
固定部材９は、図１６に示すように、水平方向に長尺な板状部９０と、板状部９０からそれぞれ前方に延びる一対の接続部９１と、を有してもよい。接続部材８は、支持部材４と共に給電部３を収容する収容部位８５を備えてもよい。収容部位８５は、例えば、支持面４０に沿った板状の収容底部８６と、収容底部８６の外縁に接続され且つ支持部材４に外嵌される収容側部８７と、を有してもよい。収容底部８６には、固定部材９の一対の接続部９１がそれぞれ挿通される一対の貫通孔８６０が設けられてもよい（図１５参照）。各貫通孔８６０は、図１３に示すように、上下方向に延びる長孔であってもよい。収容側部８７には、それぞれ支持周部４１の凸部４１０が挿通される複数の貫通孔８７０が設けられてもよい。
【００６３】
以上の構成により、支持部材４の後方に給電部３が配置されると共に、給電部３が支持面４０の面方向において移動可能となる。具体的に、固定部材９を上下方向（図１３における上下方向）に移動させることで、給電部３が支持面４０の面方向に上下方向に移動する。尚、固定部材９は、下方向にスライド移動されることにより、貫通孔８６０の下端と重なる位置に配置される。
【００６４】
このような充電器１においても、水平面Ｓに対して傾斜した又は垂直な支持面４０にスマートフォン１０を立てかけることができるため、スマートフォン１０を充電器１に立てかけた状態で配置可能である。また、充電器１に対するスマートフォン１０の相対位置が異なる（例えば、スマートフォン１０が横置き或いは縦置きされたり、異なるサイズのスマートフォン１０を立てかけたりする）ことで、スマートフォン１０の受電コイル１０１と給電部３の送電コイル３０との相対位置がずれても、給電部３を支持面４０の面方向に沿って移動させることで、スマートフォン１０の受電コイル１０１と給電部３の送電コイル３０とを重ねることができるため、充電を適切に行うことができる。
【００６５】
給電部３は、支持面４０の面方向であれば、上下方向以外の方向に移動してもよい。例えば、給電部３は、支持面４０の面方向（上下方向、水平方向、斜め方向）に移動可能であれば、給電部３の移動範囲が広くなるため、サイズが大きく異なるスマートフォンやタブレット端末等に対しても、送電コイル３０と受電コイル１０１との位置合わせがしやすくなる。
【００６６】
土台２の形状は上記実施形態の形状に限られず、どのような形状であってもよい。例えば、土台２の上面２２には、上方に向けて突出した凸部が設けられていてもよい。具体的に、この凸部は、上面２２の前方における端部に設けられていてもよい。この場合、支持面４０がスマートフォン１０を支持すると、スマートフォン１０の下端部１１の前面がこの凸部と当接することで、下端部１１の前方への移動が規制されるため、スマートフォン１０が前方にずれにくい。
【００６７】
土台２は、土台着脱部２１を有していなくてもよい。具体的に、土台２は、六面体形状の箱体やブロック体等であってもよい。
【００６８】
また、土台２の上面２２は、水平面Ｓに沿った面（水平な面）であってもよい。この場合、土台２を載置する載置面が水平面Ｓに対して傾斜面であり、且つ、土台２の上面２２に対して支持面４０が略垂直であってもよい。また、土台２の上面２２及び載置面が共に水平面Ｓに沿った面であり、且つ、土台２の上面２２に対して支持面４０が傾斜していてもよい。さらに、土台２を載置する載置面が水平面Ｓに対して傾斜面であり、且つ、土台２の上面２２に対して支持面４０が略垂直であってもよい。また、土台２の上面２２及び載置面が共に水平面Ｓに沿った面であり、且つ、土台２の上面２２に対して支持面４０が略垂直であってもよい。
【００６９】
接続部材８は、土台２と一体であってもよい。例えば、接続部材８は、土台２の上面２２から上方に延びていてもよい。また、接続部材８は、土台２と共に側方から視たとき略Ｌ字形状の部材を形成してもよく、この場合、スマートフォン１０を接続部材８の前面と土台２の上面２２とで支持する、即ち、接続部材８の前面が支持面４０であってもよい。また、この場合、接続部材８の後方に給電部３が配置されていてもよい。
【００７０】
固定部材９は、例えば、弾性変形可能な筒状の部材であってもよい。この場合、固定部材９を周方向において回動させなくても、固定部材９を周方向の内側に縮めるような力をかけて弾性変形させることで、固定部材９とガイド部位８０との係止を解消して、固定部材９を移動させることができる。また、この場合、固定部材９が所望の位置に配置された状態で、固定部材９を解放すると、弾発力により固定部材９がガイド部位８０に係止される。
【００７１】
報知部７は、充電が行われている旨の報知のみを行い、充電が行われていない旨の報知を行わなくてもよい。また、報知部７は、充電が行われていない旨の報知のみを行い、充電が行われている旨の報知を行わなくてもよい。さらに、報知部７は、充電が行われているときにも行われていないときにも、同じ色の光を出射し、充電が行われているときには点灯し、充電が行われていないときには点滅してもよい。尚、報知部７は、光以外の方法、例えば、音により報知をおこなってもよい。
【符号の説明】
【００７２】
１…充電器、２…土台、２０…土台本体部、２００…上面、２０１…底面、２０２…側面、２０３…凹部、２０４…係止凹部、２０５…枠体、２０６…カバー、２０７  …底板、２０８…台座、２０９…滑り止め、２１…土台着脱部、２１０…上面、２１１…側面、２１２…係止凸部、２２…上面、３…給電部、３０…送電コイル、３１…板部、３３…ケース、３３０…ケース蓋部、３３００…ケース蓋板、３３０１…ケース側部、３３０２…通風孔、３３１…ケース底部、３３１０…ケース底板、３３１１…ケース延出部、３３１２…通風孔、３３１３…挿通孔、３３１４…ケース凹部、３３１５…貫通孔、３５…通風孔、４…支持部材、４０…支持面、４１…支持周部、４２…支持下部、４１０…凸部、５…移動体、６…制御部、７…報知部、８…接続部材、８０…ガイド部位、８００…内周面、８１…上端接続部位、８２…下端接続部位、８３…後方延設部位、８４…下方延設部位、８５…収容部位、８６…収容底部、８６０…貫通孔、８７…収容側部、８７０…貫通孔、９…固定部材、９０…板状部、９１…接続部、９２…摘み部、９１０…大径筒部、９１１…小径筒部、９１２…凸部、９１３…爪部、１０…スマートフォン、１００…電池パック、１０１…受電コイル、１１…下端部、Ｓ…水平面
【図１】
2020061905.tif 000003
【図２】
2020061905.tif 000004
【図３】
2020061905.tif 000005
【図４】
2020061905.tif 000006
【図５】
2020061905.tif 000007
【図６】
2020061905.tif 000008
【図７】
2020061905.tif 000009
【図８】
2020061905.tif 000010
【図９】
2020061905.tif 000011
【図１０】
2020061905.tif 000012
【図１１】
2020061905.tif 000013
【図１２】
2020061905.tif 000014
【図１３】
2020061905.tif 000015
【図１４】
2020061905.tif 000016
【図１５】
2020061905.tif 000017
【図１６】
2020061905.tif 000018
【図１７】
2020061905.tif 000019
【図１８】
2020061905.tif 000020
【図１９】
2020061905.tif 000021
【図２０】
2020061905.tif 000022
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
土台と、
前記土台の上に配置され、且つ、受電コイルに対して非接触での充電が可能な送電コイルを含む給電部と、
水平面に対して傾斜した状態又は垂直な状態で前記土台の上に配置され、且つ、受電コイルを含む充電対象物の前面或いは背面を支持する支持面と、
を備え、
前記給電部は、前記支持面の面方向に沿って上下方向に移動可能である、ワイヤレス充電器。
【請求項２】
前記送電コイルに流れる電流値或いは電圧値が所定値よりも大きいとき、前記受電コイルに対する充電が行われていると判定する制御部と、
前記制御部に接続され、且つ、外部に対して報知可能な報知部と、
を備え、
前記制御部は、前記受電コイルに対する充電が行われていると判定すると、前記報知部に報知を行わせる、請求項１に記載のワイヤレス充電器。
【請求項３】
前記送電コイルは、一つ乃至二つのコイルを含む、請求項１又は請求項２に記載のワイヤレス充電器。
【手続補正２】
【補正対象書類名】明細書
【補正対象項目名】０００６
【補正方法】変更
【補正の内容】
【０００６】
本発明のワイヤレス充電器は、土台と、前記土台の上に配置され、且つ、受電コイルに対して非接触での充電が可能な送電コイルを含む給電部と、水平面に対して傾斜した状態又は垂直な状態で前記土台の上に配置され、且つ、受電コイルを含む充電対象物の前面或いは背面を支持する支持面と、を備え、前記給電部は、前記支持面の面方向に沿って上下方向に移動可能である。
【手続補正３】
【補正対象書類名】明細書
【補正対象項目名】０００７
【補正方法】変更
【補正の内容】
【０００７】
かかる構成によれば、水平面に対して傾斜した又は垂直な支持面に受電対象物を立てかけることができるため、充電対象物をワイヤレス充電器に立てかけた状態で配置可能である。また、ワイヤレス充電器に対する充電対象物の相対位置が異なることで、充電対象物の受電コイルと給電部の送電コイルとがずれても、給電部を支持面の面方向に沿って移動させることで、充電対象物の受電コイルと給電部の送電コイルとを重ねることができるため、充電を適切に行うことができる。
また、かかる構成によれば、例えば、充電対象物の長手方向が水平方向或いは水平方向に直交する方向に揃うように充電対象物の姿勢を異ならせて配置する、即ち、充電対象物を横置きと縦置きとで姿勢を異ならせて配置することで、送電コイルに対する受電コイルの相対位置が上下方向にずれたとしても、給電部を上下方向において移動させることで、受電コイルと送電コイルとを容易に重ねることができる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】